(57)【要約】  本発明は、統合された栄養素改良及び／又は強化を伴う水濾過装置（１００、１００ａ）を説明する。顆粒又はボールに収容された所望の栄養素、イオン、水素イオン、セラミック、石、金属などがスティックカプセル（１６０）、シェルカプセル（１８０）又は水素カプセル（１９０）内に選択的に配置される。１つ又は２つのスティックカプセル（１６０）がフィルタ要素（１５０）内に配置される。スティックカプセルは先細端部（１６２）を備え、フィルタ要素のキャップ（１５１）の内部に形成されたＴ形状柱部（１５７）と関連して、先細端部（１６２）に沿う動的な水流が栄養豊富な水を誘導してスティックカプセル（１６０）の端部の穴１６５を通して流し、水が蛇口（１４４）を通って排出される前に２つの水流を混合／ブレンドする。また、濾過された水は、風味処理、抗菌、抗塩素、活性炭などで処理することで強化される。【選択図】  図１Ａ
2021501051.tif 000002
【特許請求の範囲】
【請求項１】
ベース部材に別々に接続される注水口及び排水口と、
中空内部に栄養豊富な材料を収容するスティックカプセルと、
を備え、
前記注水口はフィルタハウジングに流体的につながり、
前記フィルタハウジング内にフィルタ要素が配置され、
前記スティックカプセルは前記フィルタ要素内に配置され、
前記フィルタ要素内から流れる栄養豊富な水が、使用のため前記排水口を通って流体的に排出されることを特徴とする水濾過装置。
【請求項２】
前記フィルタ要素の端部はキャップで密閉され、
前記キャップは中空であり、
前記キャップは、前記ベース部材内に嵌合する突出ネックを備えることを特徴とする、請求項１に記載の水濾過装置。
【請求項３】
前記キャップは２つの同心の側壁をさらに備え、
前記２つの同心の側壁は、前記フィルタ要素の外面を囲む外側の側壁と、前記フィルタ要素の内面を囲む内側の側壁とを有し、
複数のＴ形状柱部が前記内側の側壁から半径方向に延びることを特徴とする、請求項２に記載の水濾過装置。
【請求項４】
前記スティックカプセルは複数のリブを備える先細端部を備え、
前記水濾過装置が組み立てられるとき、前記スティックカプセルの前記先細端部は前記キャップの前記中空内部に配置されて、濾過された水が前記スティックカプセルと前記Ｔ形状柱部との間に形成されるチャネル内を流れることを特徴とする、請求項３に記載の水濾過装置。
【請求項５】
前記スティックカプセルは、前記スティックカプセルの長さに沿って形成された穴の列と、前記先細端部の端に形成された複数の穴とを備え、
前記栄養豊富な水が、前記スティックカプセルの内部から引き出され、前記先細端部の周りを流れる濾過された水と混合されることを特徴とする、請求項４に記載の水濾過装置。
【請求項６】
２つのスティックカプセルを備え、
前記２つのスティックカプセルは、一対の合致するメスオスコネクタによって突き合わせ結合されることを特徴とする、請求項１から５のいずれか一項に記載の水濾過装置。
【請求項７】
ベース部材に別々に接続される注水口及び排水口と、
キャップと、
内部開口と雄ねじとを有するねじアダプタと、
を備え、
前記注水口はフィルタハウジングに流体的につながり、
前記フィルタハウジング内にフィルタ要素が配置され、
前記キャップは前記フィルタ要素の端部を密閉するように配置され、
前記内部開口は前記キャップの突出ネックを受け入れ、
前記雄ねじは前記ベース部材と接続し、
前記フィルタ要素内から流れる濾過された水が、使用のため前記排水口を通って流体的に排出されることを特徴とする水濾過装置。
【請求項８】
前記キャップの前記突出ネックには、ねじが切られている、又は、ねじが切られていないことを特徴とする、請求項２から７のいずれか一項に記載の水濾過装置。
【請求項９】
前記ベース部材に取り付けられるシェルカプセルをさらに備えることを特徴とする、請求項７又は８に記載の水濾過装置。
【請求項１０】
前記シェルカプセルは中空で、上半分及び下半分から構成され、
前記上半分の外側にピンが設けられて、流体が前記シェルカプセルの穴を通って流れることを容易にすることを特徴とする、請求項９に記載の水濾過装置。
【請求項１１】
前記ベース部材に取り付けられる水素カプセルをさらに備えることを特徴とする、請求項７から１０のいずれか一項に記載の水濾過装置。
【請求項１２】
前記水素カプセルは中空で、左側シェル及び右側シェルから構成され、
前記左側シェルの外側端部にピンが配置され、
前記右側シェルは略先細りであり、
前記水素カプセルを受け入れる前記ベース部材の空洞内への一方向の取り付けを確実にすることを特徴とする、請求項１１に記載の水濾過装置。
【請求項１３】
前記水素カプセルを受け入れる空洞のポートと嵌合する閉鎖キャップをさらに備えることを特徴とする、請求項１２に記載の水濾過装置。
【請求項１４】
水濾過及び統合された水改良システムであって、
ベース部材内に水を流すことと、
フィルタハウジング内に前記水を案内することと、
前記フィルタハウジング内に配置されたフィルタ要素に前記水を通すことと、
栄養豊富な材料を収容するスティックカプセルを配置し、前記スティックカプセルの先細端部が前記フィルタ要素の端部を密閉する中空キャップの周りに配置され、前記スティックカプセルの前記先細端部を流れ落ちる濾過された水が前記スティックカプセルの端部に低圧領域を作り、前記低圧領域は前記スティックカプセル内から栄養豊富な水を引き出し又は吸引し、水の２つの流れを混合／ブレンドすることと、
前記ベース部材内から排出用出口を通るように、混合した前記水を案内することと、
を含むことを特徴とするシステム。
【請求項１５】
前記ベース部材内に取り付けられるシェルカプセルに配置される栄養素に前記水を接触させることをさらに含むことを特徴とする、請求項１４に記載のシステム。
【請求項１６】
前記栄養豊富な材料は、トルマリン、ＯＲＰ負電位セラミック、負イオンセラミック、ミネラルウォーターセラミック、マイファンシ石セラミック、遠赤外線石、磁気エネルギー、水素リッチ、微孔性抗菌、抑制スケール、フィルタセラミック、水素水メディアロールタイプマグネシウム金属、及び塩素除去から選択されて、顆粒又はボールとしてカプセル化されることを特徴とする、請求項１４又は１５に記載のシステム。
【請求項１７】
前記栄養豊富な材料は、栄養素、ミネラル（有機又は無機）、イオン、ビタミン、ハーブ、石、金属、セラミックなどを含むことを特徴とする、請求項１４から１６のいずれか一項に記載のシステム。
【請求項１８】
前記濾過された水は、香味料、抗菌、抗塩素、水素、活性炭などで処理されることを特徴とする、請求項１４から１７のいずれか一項に記載のシステム。
【請求項１９】
注水口部品と、
排水口部品と、
前記注水口部品及び前記排水口部品をそれぞれ受け入れる注水口ポート及び排水口ポートを備えるベース部材と、
前記ベース部材に取り付けられるフィルタハウジングと、
前記フィルタハウジング内に取り付けられるフィルタ要素と、
前記ベース部材内に取り付けられるシェルカプセルと、
を備えることを特徴とする濾過装置のキット。
【請求項２０】
前記ベース部材に取り付けられる水素カプセルをさらに備えることを特徴とする、請求項１９に記載のキット。
【請求項２１】
前記フィルタ要素の端部を密閉するキャップをさらに備え、
前記キャップは中空であり、スティックカプセルを受け入れるような形状及び寸法を有する開口が設けられることを特徴とする、請求項１９又は２０に記載のキット。
【請求項２２】
突き合わせ結合で２つのスティックカプセルを接続する一対の合致するメスオスコネクタをさらに備えることを特徴とする、請求項２１に記載のキット。
【請求項２３】
前記ベース部材に取り付けるための一組のねじアダプタをさらに備えることを特徴とする、請求項１９から２２のいずれか一項に記載のキット。
【請求項２４】
キーをさらに備え、
前記キーは、前記ねじアダプタ上のノッチと係合する歯、前記水素カプセルと関連する前記ベース部材上のポート上の閉鎖キャップと係合する歯、又は前記フィルタハウジングに配置されたブリード弁上で動作するノッチを備えることを特徴とする、請求項２３に記載のキット。
【発明の詳細な説明】
【技術分野】
【０００１】
本発明は、カートリッジ水濾過装置及び水改良システムに関する。濾過された水は、水が飲用のため排出される前に栄養素、ミネラル、イオン、水素などを注入することで、改良及び／又は強化される。
【背景技術】
【０００２】
健康への意識の高まりに伴い、家庭、オフィス、学校などでより多くの濾過水が必要になっている。従来の逆浸透フィルタ及びナノメンブレンフィルタは、汚染物質の除去に非常に効果的であるが、有益なカルシウム、マグネシウムなども除去する。したがって、濾過後の水に、再度ミネラルを含ませたり、栄養素、ビタミン、ハーブ、風味、イオンなどを加えたりして、濾過水を改良又は強化する必要がある。望ましくは、本発明の水濾過器は、異なる濾過装置に金銭を投資する必要なしに、改良又は強化の所望の種類及び組み合わせを、ユーザが柔軟に選択できるようにする。
【発明の概要】
【０００３】
以下、本発明の基本的な理解を提供するために簡略化した概要を示す。この概要は、本発明の広範な概要ではなく、本発明の主な特徴を特定することを意図していない。むしろ、以下の詳細な説明の前置きとして、本発明の発明概念の幾つかを一般化した形で示すものである。
【０００４】
本発明は、濾過された水を改良又は強化するために、所望の栄養素、ミネラル、イオン、水素などを収容する水濾過装置及びカプセルを提供することを目的とする。栄養豊富な水は、水が飲用又は使用のため排出される前に、濾過された水と混合及びブレンドされる。望ましくは、濾過装置は小型で設置面積が小さい。他の利点は、濾過装置が作動するのに電気を必要とせず、メンテナンス及び洗浄が容易であることである。
【０００５】
一実施形態において、本発明は、請求項１から１３で定義されるような水濾過装置を提供する。
【０００６】
別の実施形態において、本発明は、請求項１４から１８で定義されるような水濾過及び改良システムを提供する。
【０００７】
さらに別の実施形態において、本発明は、請求項１９から２４で定義されるような水濾過装置用キットを提供する。
【図面の簡単な説明】
【０００８】
本発明は、添付の図面を参照して、本発明の非限定的な実施形態によって説明される。
【０００９】
【図１】図１Ａは、本発明の実施形態の水改良／強化を伴う水濾過器の分解図を示す。図１Ｂ及び図１Ｃはそれぞれ、上及び下からみたベース部材の外形を示す。
【００１０】
【図２】図２Ａは、ユーザによって既に使用されている従来のフィルタ要素の部品と適合するねじアダプタと共に使用するための、図１Ａに示す水濾過器を示す。図２Ｂは、従来のフィルタ要素の適合する部品に取り付ける一連のアダプタを示す。
【００１１】
【図３】図３Ａは、フィルタ要素と２つのスティックカプセルとのアセンブリの断面図を示す。図３Ｂは、２つのスティックカプセルのアセンブリの分解図を示す。図３Ｃは、スティックカプセルの端面図を示す。図３Ｄは、２つのスティックカプセルを連結する１対のコネクタの端面図を示す。図３Ｅ及び図３Ｆは、図１Ａに示すフィルタ要素の端部キャップを示す。図３Ｇは、動的水流パターンを作るためのチャネルを示す、端部キャップ内部及びスティックカプセル端部の断面図を示す。
【００１２】
【図４】図４Ａ〜図４Ｃは、図１Ａ及び図２Ａに示すベース部材で使用するためのシェルカプセルを示す。
【００１３】
【図５】図５Ａ及び図５Ｂは、図１Ａおよび図２Ａに示すベース部材で使用するための水素カプセルを示す。図５Ｃ及び図５Ｄは、水素カプセルを受け入れるための空洞に関連する閉鎖キャップを示す。
【００１４】
【図６】図６Ａは、上記濾過装置と共に使用するためのキーを示す。図６Ｂは、切断線Ｘでの歯の断面を示す。図６Ｃは、切断線Ｙでの歯の断面を示す。
【発明を実施するための形態】
【００１５】
本発明の１つ又はそれ以上の詳細な実施形態及び代替的な実施形態を、添付の図面を参照して説明する。しかし、本発明がそのような詳細な部分なしで実施されてもよいことは、当業者には明らかであろう。本発明を不明瞭にしないため、詳細部分のなかには詳細に説明されないものもある。参照を容易にするため、図に共通の同一又は類似の特徴を参照する場合、共通の符号又は一連の符号が図全体で使用される。
【００１６】
図１Ａは、本発明の実施形態の水濾過器１００の分解図を示す。図１Ａに示すように、水濾過器１００は、ベース部材１１０、ベース部材１１０に接続されたフィルタハウジング１２０、フィルタハウジング１２０の内部に配置されたフィルタ要素１５０、及びフィルタ要素１５０の内部に配置されたスティックカプセル１６０から構成される。注水口部品１３０を介して供給される水は、ベース部材１１０に流れ込み、フィルタハウジング１２０とフィルタ要素１５０との間の容積を満たし、フィルタ要素１５０を透過してフィルタ要素の内部容積に流れ込む。濾過された水の一部は、スティックカプセル１６０の外部を流れてベース部材の内部容積まで流れ、その後、排水口部品１４０及びスパウト１４２を通って蛇口１４４から流出する。同時に、濾過された水の一部は、スティックカプセル１６０の内部容積を流れ落ちる。スティックカプセル１６０には、ユーザが選択できる、所望の栄養素、無機イオン、有機イオン、抗菌面、ビタミン、ハーブ、香味料、活性炭などを収容する顆粒／ボールが配置されている。濾過された水は、所望の栄養素、イオン、ビタミン、ハーブ、香味料のうち幾つかで改良、強化、及び／又は注入され、抗菌、抗塩素などで処理され、スティックカプセル１６０の外側下端を取り囲む濾過水のより強い環状流により、スティックカプセル１６０の下方の先細端部１６２で、（図３Ｃに示すように）開口１６５を通って動的に吸引され又は引き出される。カプセル１６０の内部からの栄養豊富な水のそのように引き起こされた吸引流は、ベルヌーイの原理を利用するが、この原理のみによって限定されない。この動的に引き起こされた吸引流は、図３Ｇが説明されるとより明確になる。水素カプセル１９０がベース部材１１０の空洞１１６の内部に配置されると、栄養豊富な水が蛇口１４４を通って排出される前に、水素カプセル１９０に含まれるある量の水素イオンを水の中に排出することで、栄養豊富な水はさらに強化される。
【００１７】
図１Ａに示すように、第２のスティックカプセル１６０は、（第１の、下方の）スティックカプセル１６０と突き合わせ結合で端と端で接続されてることが可能であり、第２のスティックカプセル１６０は、同じ又は他の第１のスティックカプセルとは異なる所望の栄養素、無機イオン、有機イオン、抗菌面、ビタミン、ハーブ、香味料などを収容してもよい。これらの栄養豊富な顆粒の一部は、Ｓｈａｎｄｏｎｇ  Ｍｕｑｉ  Ｈｅａｌｔｈ  Ｓｃｉ−Ｔｅｃｈ  Ｃｏ．Ｌｔｄ（ｗｗｗ．ｉｍｕｑｉ．ｃｎで連絡可能）から入手されてもよく、中国特許公開第１０４６０７０３９号（出願番号２０１５１００２６９８０．７）に従って製造されてもよい。別の供給者は、Ｇａｕ−Ｊｉｕｈ  Ｉｎｔｅｒｎａｔｉｏｎａｌ  Ｃｏ．，Ｌｔｄ．（ｗｗｗ．ｇａｕ−ｊｉｕｈ．ｃｏｍ．ｔｗで連絡可能）である。栄養豊富な顆粒は、トルマリン、酸化還元電位（ＯＲＰ）負電位セラミック、負イオンセラミック、ミネラルウォーターセラミック、マイファンシ石セラミック、遠赤外線石、磁気エネルギー、水素リッチ、微孔性抗菌、抑制スケール、フィルタセラミック、塩素除去、水素水メディアロールタイプマグネシウム金属などのボールの形態であってもよい。
【００１８】
図１Ａに示すように、ベース部材１１０の上面には、段付き開口１１１が形成されている。段付き開口１１１は、大きい段付き開口と小さい段付き開口とを有する。（より）大きい段付き開口１１１の側壁１１２には、フィルタハウジング１２０の周縁部に形成されているねじ山１２２と合致するようにねじが切られている。Ｏリング又はシール（図１Ａに図示せず）が側壁１１２又はねじ山１２２に配置されて、漏れのない接続を確実にしてもよい。
【００１９】
また、図１Ａに示すように、キャップ１５１は、（中空）フィルタ要素１５０の下部の開放端を閉鎖するように密閉される。フィルタ要素が両端で開放される場合、図２Ｂに示すように、上部キャップを使用して上部端を密閉してもよい。例えば、フィルタ要素１５０は、約５０ｍｍ（又は２インチ）の直径及び約２５０ｍｍ（又は１０インチ）の長さを有してもよい。キャップ１５１は、外側のネック１５２で終端となる又は突出する。漏れのない密閉のため、Ｏリング１５３がキャップ１５１とネック１５２との間に配置されてもよい。一実施形態において、ネック１５２の外面は、例えばねじ接続部１１４など（より）小さい段付き開口１１１に直接合致するねじ山との接続のため、ねじが切られている。そのようなねじ接続部１１４は、Ｍ２４サイズであってもよい。別の実施形態において、ネック１５２の外面にねじが切られておらず、平坦な円筒状のネック１５２が、ねじが切られていない（より）小さい段付き開口１１４に押し込まれて嵌合することが可能である。
【００２０】
ベース部材１１０のサイズは小型である。図１Ｂは、（図１Ｃに示すような）ベース部材の底部の略楕円形の外形に移行するベース部材１１０の上部の略円形の外形を示す。調理台の実施形態では、ベース部材の底部に発光シリコンリング１１９が設けられ、夜間にベース部材が見えるようにする。シンク下又はキャビネット内の実施形態では、ベース部材の底部を壁または側壁に固定するため、Ｌ形状ブラケットが設けられる。
【００２１】
図２Ａは、上記実施形態の変形例の濾過装置１００ａを示す。濾過装置１００ａでは、フィルタ要素１５０は、従来のキャップ１１を備えてもよく、ネック１２は、Ｍ１２〜Ｍ１７、１／４ＢＳＰ又は１／４ＮＰＳのようなサイズでねじ切りされてもよい。要素１３は、水密封止のため設けられたＯリングである。ねじ接続部１１４などの（より）小さい段付き開口部１１１にネック１２を適合させるため、ネック１２とベース部材１１０との間の中間接続のために、アダプタ２００が設けられる。この実施形態は、一部のユーザは、ベース部材１１０に適合しない従来のネック１２が設けられたフィルタ要素を既に持っている場合があるので、有用である。このようなフィルタ要素が使い果たされた後、ユーザは、ベース部材１１０に適合するキャップ１５１を備えるフィルタ要素１５０を購入して、自身のニーズに応じて濾過された水を改良してもよい。このようなアダプタ２００を設けることで、ネック１２を有する従来のフィルタ要素が無駄にならない。
【００２２】
図２Ａ及び図２Ｂはアダプタ２００を示す。アダプタ２００は、Ｔ形状ヘッド２０２、ねじ付き端部２０４、及び内部開口２０６を有する。内部開口２０６は、ねじ付きネック１２との接続のためにねじ切りされ、ねじ付き端部２０４は、ベース部材１１０でねじ接続部１１４に接続される。Ｔ形状ヘッド２０２の周縁はノッチを有し、ノッチにより、ユーザは、例えばメンテナンス又は洗浄中に、ベース部材１１０への取り付け中にアダプタ２００を回したり、取り外しのためアダプタを回したりすることができる。図６Ａに示すキー３００は、本発明のフィルタハウジング１２０に関連する水素カプセル１９０及びポート開口１１８又はブリード弁１２４を受け入れるための空洞に関連する閉鎖キャップ１９５を回転させることに加えて、アダプタ２００を回転させるために供給される。
【００２３】
栄養豊富な水をさらに改良及び／又は強化するため、例えばマグネシウム、ゲルマニウム、真珠などの幾つかの所望の材料を少量含むようなシェルカプセル１８０を設けることが可能である。一実施形態において、シェルカプセル１８０は、２つの中空の半分部分１８１、１８２からなり、それらは、開かれたり、幾つかの留め具によって閉じたままにされたりしてもよい。シェルカプセル１８０は穴１８４を有する。上半分のカプセル１８１の上面は複数の短いピン１８３を有する。このようなピン１８３は、シェルカプセル１８０がスティックカプセル１６０の端部と接触しているときに、シェルカプセルの上面の穴１８４が遮蔽／閉塞されないことを確実にし、これにより、栄養豊富な水はシェルカプセル１８０を通って流れることができる。さらに、シェルカプセル１８０は段付きショルダー部１８６を有し、これにより、シェルカプセル１８０が、例えば、（より）小さい段付き開口部１１１の端部の近くなど、ベース部材１１０内に配置されることが可能になる。
【００２４】
戻って図３Ａを参照すると、フィルタ要素１５０内部の２つのスティックカプセル１６０のアセンブリが示されている。図３Ｂに示すように、スティックカプセル１６０は、一対の合致するメスオスコネクタ１７０ａ、１７０ｂによって突き合わせ結合される。このような合致するメスオスコネクタはまた、図３Ａに示すように、使用時に逆にしてもよい。ノッチ１７１と溝１７２が合致することにより、メスオスコネクタ１７０ａ、１７０の対での嵌合が確実になる。図３Ｄは、コネクタ１７０ａ、１７０ｂの拡大端面図を示し、内部空洞は、スロット１７３で規定されるように開いている。同様に、スティックカプセル１６０の本体には穴１６１が開けられており、図３Ｃに示すように、スティックカプセル１６０の端部にも穴１６５が開けられている。
【００２５】
図３Ｅ及び図３Ｆは、フィルタ要素のキャップ１５１の図を示し、図３Ｇは、（スティックカプセル１６０をキャップ１５１の中央開口を通して挿入することで）キャップ１５１の内部に組み立てられた場合のスティックカプセル１６０の一部を示す。キャップ１５１の内側は、２つの同心の側壁１５４、１５５を有する。外側の同心の側壁１５４は、フィルタ要素１５０の外面に適合するような形状及び寸法を有し、内側の同心の側壁１５５は、フィルタ要素の内面に適合するような形状及び寸法を有する。スティックカプセル１６０の先細端部１６２を緩く配置するため、６つのＴ形状柱部１５７が、内側の側壁１５５から半径方向（放射状）内側に突出している。スティックカプセルの先細端部１６２は、４つのリブ１６３を有する。先細端部１６２がＴ形状柱部によってキャップ１５１の内側に配置されると、（図３Ｇの矢印Ａ１、Ａ２で示すように）栄養豊富な水が流れる環状空間が存在する。発明者は、リブ１６３とＴ形状柱部１５７との間がどのような角度方向であってもスティックカプセル１６０の先細端部１６２の周りの水流を妨げないように、６個のＴ形状柱部１５７に関連して４つのリブ１６３を選択した。栄養豊富な水が先細端部を流れ落ち、流速が上昇する。このように流速が上昇しすることで、ベルヌーイの原理に従ってスティックカプセル１６０の端部に低圧（ＬＰ）領域ができるが、この原理のみに拘束されない。スティックカプセルの端部に穴１６５が開けられているので、スティックカプセル１６０内の栄養豊富な水が徐々に誘導され、（矢印Ｂ１、Ｂ２で示すように）スティックカプセルから引き出され又は吸引され、水の外側の流れと混合／ブレンドされる。蛇口が栄養豊富な水を排出していないとき、又は、濾過された水が実質的に流れていないとき、栄養豊富な水は、各スティックカプセルの長さに沿って形成された穴又は穿孔１６１から拡散する。例えば、４列の穴／穿孔１６１が設けられてもよい。本発明の利点は、スティックカプセルの先細端部の周りに動的な水流を作って、Ｔ形状柱部によって水流に乱流を作り、栄養豊富な水をスティックカプセルの端部を通して誘導／吸引し、栄養豊富な水とフィルタ要素１５０の内側から流出する濾過された水の残りとを混合／ブレンドする。このように、本発明は、各栄養素又は処理専用の幾つかの種類のフィルタ装置を購入する必要なく、ユーザが飲用又は使用のため濾過された水の栄養素、イオン、風味又は処理の組み合わせを自由に選択できる濾過装置を提供する。構成部品のサイズが小型であることと相まって、フィルタ装置１００、１００ａはまた、より手頃な価格で、審美的な設計で作られる。また、この濾過装置を作動させるのに電気は必要ない。
【００２６】
図５Ａは、水素カプセル１９０が２つの部分１９０ａ、１９０ｂから構成されることを示す。水素カプセルの内部は中空であり、水素カプセル１９０のシェルには穴１９１が開けられている。上述のように、水素に富む顆粒又はボールが水素カプセルに含まれ、水素は水中への浸漬によってゆっくりと侵出又は変換される。図５Ａでわかるように、図５Ｂの端面図にも示すように、左側部分１９０ａの端部にピン１９２がある。ピン１９２は、水素カプセル１９０が空洞１１６の内側に組み立てられるとき、左側部分１９０ａの端部の間に隙間が確実に存在するようにして、水素カプセルの周り及び水素カプセルを通る水流が妨げられないようにする。図５Ａから分かるように、右側部分１９０ｂは略先細りである。この先細端部は、（図５Ｃに示すように）閉鎖キャップ１９５の内部にぴったりと嵌って、水素カプセル１９０が一方向のみで空洞１１６に挿入される。図５Ｄは、閉鎖キャップ１９５の外面が溝１９６を有することを示す。溝は１１個ある。溝は、一対の対向する溝１９６がキー３００に形成された一対の歯３０４と係合するように配置されて、（図６Ｃに示すように）一対の歯３０４は平面３０５上に横たえられる。１１個の溝及び平面上の２つの略対向する溝の配置により、歯３０４を溝１９６に嵌合する一方向が確実になる。
【００２７】
戻って図６Ｂを参照すると、歯３０３を通るキー３００の断面Ｘが示されている。歯３０３は、アダプタ２００をベース部材１１０に出し入れするためのＴ形状のアダプタヘッド２０２上のノッチと係合するような形状及び寸法を有する。歯３０４の近くには、ノッチ３０６が設けられる。ノッチ３０６は、フィルタハウジング１２０の上部に配置されたブリード弁１２４と係合するためのものである。フィルタハウジングの内部から空気を流出させることで、水が濾過装置内の容積全体を満たしてもよい。また、図６Ａに示すように、キー３００の側面には、ユーザの親指と指との間の確実なグリップを提供するのに役立つ筋３０２が形成されている。
【００２８】
読み手が理解するように、本発明の濾過装置１００、１００ａは小型であり、作動するのに電気を必要としない。別の利点は、メンテナンスが容易なことと、ユーザが必要に応じて選択できる改良するための材料の幅広い選択肢である。
【００２９】
詳細な実施形態を説明及び図示したが、本発明の範囲から逸脱することなく、本発明に対して多くの変更、修正、変形及びそれらのうちの組み合わせを行うことができることが理解される。例えば、フィルタ要素１５０は、セラミック、ＰＰ、綿繊維、膜などで作られてもよい。好ましくは、フィルタハウジング、ベース部材、部品、カプセル、キャップなどの材料は、例えばＰＰ、ＰＣＴＧ、ＡＢＳ、ＰＡなどの食品グレードのポリマーから選択される。ＰＰ、ＰＣＴＧ、ＡＢＳ、ＰＡなどのＦＤＡグレードも好ましい。ＢＰＡフリーのＰＣＴＧも好ましい。好ましくは、チューブはＦＤＡグレードのＴＰＵから作られる。調理台の水濾過装置が示され、説明されたが、濾過された水を濾過及び改良する方法は、シンク下の濾過装置に適用可能である。上記の濾過及び改良システムを、キャビネット内タイプの濾過装置に組み込むことも可能である。
【図１Ａ】
2021501051.tif 000003
【図１Ｂ】
2021501051.tif 000004
【図１Ｃ】
2021501051.tif 000005
【図２Ａ】
2021501051.tif 000006
【図２Ｂ】
2021501051.tif 000007
【図３Ａ−３Ｄ】
2021501051.tif 000008
【図３Ｅ】
2021501051.tif 000009
【図３Ｆ】
2021501051.tif 000010
【図３Ｇ】
2021501051.tif 000011
【図４Ａ】
2021501051.tif 000012
【図４Ｂ】
2021501051.tif 000013
【図４Ｃ】
2021501051.tif 000014
【図５Ａ】
2021501051.tif 000015
【図５Ｂ】
2021501051.tif 000016
【図５Ｃ】
2021501051.tif 000017
【図５Ｄ】
2021501051.tif 000018
【図６Ａ】
2021501051.tif 000019
【図６Ｂ】
2021501051.tif 000020
【図６Ｃ】
2021501051.tif 000021
【手続補正書】
【提出日】令和2年6月5日(2020.6.5)
【手続補正１】
【補正対象書類名】特許請求の範囲
【補正対象項目名】全文
【補正方法】変更
【補正の内容】
【特許請求の範囲】
【請求項１】
ベース部材に別々に接続される注水口及び排水口と、
中空内部に水処理材料を収容するスティックカプセルと、
を備え、
前記注水口はフィルタハウジングに流体的につながり、
前記フィルタハウジング内にフィルタ要素が配置され、
前記スティックカプセルは前記フィルタ要素内に配置され、
前記スティックカプセルは、先細端部と、前記スティックカプセルの長さに沿って形成された穴の列と、前記先細端部の端に形成された複数の穴とを備え、
前記スティックカプセルの内部から引き出された処理された水が、前記先細端部の周りを流れる濾過された水と混合され、混合された水が、使用のため前記排水口を通って流体的に排出されることを特徴とする水濾過装置。
【請求項２】
前記フィルタ要素の端部はキャップで密閉され、
前記キャップは中空であり、
前記キャップは、前記ベース部材内に嵌合する突出ネックを備えることを特徴とする、請求項１に記載の水濾過装置。
【請求項３】
前記キャップは２つの同心の側壁をさらに備え、
前記２つの同心の側壁は、外側の側壁と内側の側壁であり、
前記外側の側壁は前記フィルタ要素の外面に適合し、前記内側の側壁は前記フィルタ要素の内面に適合し、
複数のＴ形状柱部が前記内側の側壁から半径方向に延びることを特徴とする、請求項２に記載の水濾過装置。
【請求項４】
前記スティックカプセルは複数のリブを備え、
前記水濾過装置が組み立てられるとき、前記スティックカプセルの前記先細端部は前記キャップの前記中空内部に配置されて、濾過された水が前記スティックカプセルと前記Ｔ形状柱部との間に形成されるチャネル内を流れることを特徴とする、請求項３に記載の水濾過装置。
【請求項５】
前記水処理材料は、栄養豊富な、抗菌の、抗塩素の、無機イオンの、有機イオンの、酸化還元負電位セラミックの、負イオンセラミックの、遠赤外線石の、磁性の、抑制スケールの、又はマグネシウムの材料を含むことを特徴とする、請求項１から４のいずれか一項に記載の水濾過装置。
【請求項６】
２つのスティックカプセルを備え、
前記２つのスティックカプセルは、一対の合致するメスオスコネクタによって突き合わせ結合されることを特徴とする、請求項１から５のいずれか一項に記載の水濾過装置。
【請求項７】
内部開口と雄ねじとを有するねじアダプタをさらに備え、
前記内部開口は前記キャップの突出ネックを受け入れ、
前記雄ねじは前記ベース部材と接続することを特徴とする、請求項１から６のいずれか一項に記載の水濾過装置。
【請求項８】
前記キャップの前記突出ネックには、ねじが切られている、又は、ねじが切られていないことを特徴とする、請求項２から７のいずれか一項に記載の水濾過装置。
【請求項９】
前記ベース部材に取り付けられるシェルカプセルをさらに備えることを特徴とする、請求項７又は８に記載の水濾過装置。
【請求項１０】
前記シェルカプセルは中空で、上半分及び下半分から構成され、
前記上半分の外側にピンが設けられて、流体が前記シェルカプセルの穴を通って流れることを容易にすることを特徴とする、請求項９に記載の水濾過装置。
【請求項１１】
前記ベース部材に取り付けられる水素カプセルをさらに備えることを特徴とする、請求項７から１０のいずれか一項に記載の水濾過装置。
【請求項１２】
前記水素カプセルは中空で、左側シェル及び右側シェルから構成され、
前記左側シェルの外側端部にピンが配置され、
前記右側シェルは略先細りであり、
前記水素カプセルを受け入れる前記ベース部材の空洞内への一方向の取り付けを確実にすることを特徴とする、請求項１１に記載の水濾過装置。
【請求項１３】
前記水素カプセルを受け入れる空洞のポートと嵌合する閉鎖キャップをさらに備えることを特徴とする、請求項１２に記載の水濾過装置。
【請求項１４】
水濾過及び統合された水処理又は改良方法であって、
ベース部材内に水を流すことと、
フィルタハウジング内に前記水を案内することと、
前記フィルタハウジング内に配置されたフィルタ要素に前記水を通すことと、
水処理材料を収容するスティックカプセルを配置し、前記スティックカプセルの先細端部が前記フィルタ要素の端部を密閉する中空キャップの周りに配置され、前記スティックカプセルの前記先細端部を流れ落ちる濾過された水が前記スティックカプセルの端部に低圧領域を作り、前記低圧領域は前記スティックカプセル内から処理された水を引き出し又は吸引し、水の２つの流れを混合又はブレンドすることと、
前記ベース部材内から排出用出口を通るように、混合した前記水を案内することと、
を含むことを特徴とする方法。
【請求項１５】
前記ベース部材内に取り付けられるシェルカプセルに配置される栄養素に前記水を接触させることをさらに含むことを特徴とする、請求項１４に記載の方法。
【請求項１６】
前記水処理材料は、トルマリン、ＯＲＰ負電位セラミック、負イオンセラミック、ミネラルウォーターセラミック、マイファンシ石セラミック、遠赤外線石、磁気エネルギー材料、水素リッチ材料、微孔性抗菌、抑制スケール材料、フィルタセラミック、水素水メディアロールマグネシウム、及び塩素除去材料から選択されて、顆粒又はボールとしてカプセル化されることを特徴とする、請求項１４又は１５に記載の方法。
【請求項１７】
前記水処理材料は、栄養素、ミネラル（有機又は無機）、イオン、ビタミン、ハーブ、石、金属、又はセラミックを含むことを特徴とする、請求項１４から１６のいずれか一項に記載の方法。
【請求項１８】
前記濾過された水は、香味料、抗菌、抗塩素、水素、又は活性炭で処理されることを特徴とする、請求項１４から１７のいずれか一項に記載の方法。
【請求項１９】
注水口部品と、
排水口部品と、
前記注水口部品及び前記排水口部品をそれぞれ受け入れる注水口ポート及び排水口ポートを備えるベース部材と、
前記ベース部材に取り付けられるフィルタハウジングと、
前記フィルタハウジング内に取り付けられるフィルタ要素と、
前記フィルタ要素内に取り付けられるスティックカプセルと、
前記ベース部材内に取り付けられるシェルカプセルと、
を備えることを特徴とする、請求項１から１３のいずれか一項に記載の水濾過装置のキット。
【請求項２０】
前記ベース部材に取り付けられる水素カプセルをさらに備えることを特徴とする、請求項１９に記載のキット。
【請求項２１】
前記フィルタ要素の端部を密閉するキャップをさらに備え、
前記キャップは中空であり、中空の前記キャップの開口は前記スティックカプセルを受け入れるような形状及び寸法を有することを特徴とする、請求項１９又は２０に記載のキット。
【請求項２２】
突き合わせ結合で２つのスティックカプセルを接続する一対の合致するメスオスコネクタをさらに備えることを特徴とする、請求項２１に記載のキット。
【請求項２３】
前記ベース部材に取り付けるための一組のねじアダプタをさらに備えることを特徴とする、請求項１９から２２のいずれか一項に記載のキット。
【請求項２４】
キーをさらに備え、
前記キーは、前記ねじアダプタ上のノッチと係合する歯、前記水素カプセルと関連する前記ベース部材上のポート上の閉鎖キャップと係合する歯、又は前記フィルタハウジングに配置されたブリード弁上で動作するノッチを備えることを特徴とする、請求項２３に記載のキット。
【国際調査報告】
2021501051.tif 000022
2021501051.tif 000023
2021501051.tif 000024
2021501051.tif 000025
2021501051.tif 000026
2021501051.tif 000027
2021501051.tif 000028
2021501051.tif 000029